(57)【特許請求の範囲】
【請求項１】
山部を有する屋根材を支持材に固定する屋根取付け構造であって、
円筒部と、円筒部の上端に形成されたフランジ部と、円筒部とフランジ部の中心に設けられた挿通部を有し、該フランジ部の上面の挿通部の周囲に、又は、該フランジ部の上面の挿通部の周囲とフランジ部の上面に、又は、該フランジ部の上面の挿通部の周囲とフランジ部の下面に、又は、該フランジ部の上面の挿通部の周囲とフランジ部の上面とフランジ部の下面に、突出部がフランジ部の周方向に沿って形成された筒状のスペーサーが、屋根材の山部の頂部に形成された開口部に挿入されて、
上記スペーサーの挿通部に、上方より固定具が挿入されると共に、該固定具を支持材にねじ込むことで屋根材が支持材に固定されていることを特徴とする屋根取付け構造。
【請求項２】
上記スペーサーのフランジ部下面の外端部に突出部が形成されていることを特徴とする請求項１に記載の屋根取付け構造。
【請求項３】
上記スペーサーのフランジ部上面の外端部に突出部が形成されていることを特徴とする請求項１又は請求項２に記載の屋根取付け構造。
【請求項４】
上記スペーサーのフランジ部の周方向に沿って形成された突出部が環状突起であることを特徴とする請求項１ないし請求項３のいずれかに記載の屋根取付け構造。
【請求項５】
請求項１ないし請求項４のいずれかに記載の屋根取付け構造に用いられるスペーサーであって、円筒部と、該円筒部の上端に形成されたフランジ部と、該円筒部とフランジ部の中心に設けられた、固定具が挿入される挿通部を有し、そのフランジ部の上面の挿通部の周囲に、又は、該フランジ部の上面の挿通部の周囲とフランジ部の上面に、又は、該フランジ部の上面の挿通部の周囲とフランジ部の下面に、又は、該フランジ部の上面の挿通部の周囲とフランジ部の上面とフランジ部の下面に、突出部がフランジ部の周方向に沿って形成されていることを特徴とするスペーサー。
【発明の詳細な説明】
【技術分野】
【０００１】
本発明は、山部を有する屋根材を、漏水等の不具合が生じることなく母屋材等の支持材に容易に取付けることのできる屋根取付け構造とそれに用いられるスペーサーに関するものである。
【背景技術】
【０００２】
図８に示すように、従来の屋根材の取付けは、支持材４の上に波形フレーム１０１を固定し、その波形フレーム１０１の山部と谷部に、波板１００の山部と谷部を上方から合致させて、ボルト・ナット等の固定具で固定することにより行われていた。
【０００３】
かかる方法により構築される屋根材の取付け構造は、波形フレーム１０１を支持材４の全長に亘って固定する必要があるので、施工に手間と時間がかかり、施工性があまりよくない、という問題があった。また、波形フレーム１０１の固定位置がずれると、波板１００を波形フレーム１０１にうまく固定できないため、施工に熟練を要する、という問題もあった。
【０００４】
このような事情から、波板の山部に形成された円形状の開口から波板の山部内に、波板の開口の内径寸法よりも大きい外径寸法を有するフランジが上端に形成された円筒状スペーサーを嵌込んで、該スペーサーの挿通部に、上方よりドリルねじを挿入し、該ドリルねじを梁にねじ込むことによって、波板を梁に固定したことを特徴とする波板と梁との固定構造のように、波板を直接梁に固定することができる発明も提案されている（特許文献１）。
【０００５】
上記のような特許文献１の固定構造は、従来のように、波形フレーム等の連結部材を梁上に固定する必要がないので、施工時の手間や時間が省け、また、連結部材を使用しないことから、波板の固定位置が梁の長手方向に多少ずれていても、波板を梁に固定できる、といったメリットがあった。
【先行技術文献】
【特許文献】
【０００６】
【特許文献１】特開平１０−０８８７４４号公報
【発明の概要】
【発明が解決しようとする課題】
【０００７】
しかしながら、上記特許文献１の波板と梁との固定構造は、円筒状スペーサーのフランジの上面及び下面は単なる平坦面であるので、ドリルねじをねじ込む際に発生する応力が均等にフランジに分散されてしまい、フランジを波板に強固に押し付けることができないため、波板の山部が多少不陸である場合など、円筒状スペーサーのフランジ下面と波板の山部との密着が不充分となり、その部分から雨水等が徐々に内部へと侵入していき、波板の山部に形成された円形状の開口より漏水する恐れがあった。また、円筒状スペーサーのフランジの上面及び下面が、上記特許文献１のように単なる平坦面であると、円筒状スペーサーのフランジ上面とドリルねじの下面との密着も十分とは言えず、その部分より円筒状スペーサーの内部に雨水等が侵入し、漏水する恐れもあった。
【０００８】
本発明は上記の問題に鑑みてなされたもので、その解決しようとする課題は、屋根材の山部や固定具とスペーサーのフランジ部が完全に密着するので、漏水の恐れがなく、施工性も良好な屋根取付け構造とそれに用いられるスペーサーを提供することにある。
【課題を解決するための手段】
【０００９】
上記目的を達成するため、本発明に係る屋根取付け構造は、山部を有する屋根材を支持材に固定する屋根取付け構造であって、円筒部と、円筒部の上端に形成されたフランジ部と、円筒部とフランジ部の中心に設けられた挿通部を有し、該フランジ部の上面の挿通部の周囲に、又は、該フランジ部の上面の挿通部の周囲とフランジ部の上面に、又は、該フランジ部の上面の挿通部の周囲とフランジ部の下面に、又は、該フランジ部の上面の挿通部の周囲とフランジ部の上面とフランジ部の下面に、突出部がフランジ部の周方向に沿って形成された筒状のスペーサーが、屋根材の山部の頂部に形成された開口部に挿入されて、上記スペーサーの挿通部に、上方より固定具が挿入されると共に、該固定具を支持材にねじ込むことで屋根材が支持材に固定されていることを特徴とするものである。
【００１０】
本発明の屋根取付け構造においては、上記スペーサーのフランジ部下面の外端部に突出部が形成されていることが好ましい。また、上記スペーサーのフランジ部上面の外端部に突出部が形成されている屋根取付け構造も好ましい。特に、上記スペーサーのフランジ部の周方向に沿って形成された突出部が環状突起であることが好ましい。
【００１１】
次に、本発明の屋根取付け構造に用いられるスペーサーは、請求項１ないし請求項４のいずれかに記載の屋根取付け構造に用いられるスペーサーであって、円筒部と、該円筒部の上端に形成されたフランジ部と、該円筒部とフランジ部の中心に設けられた、固定具が挿入される挿通部を有し、そのフランジ部の上面の挿通部の周囲に、又は、該フランジ部の上面の挿通部の周囲とフランジ部の上面に、又は、該フランジ部の上面の挿通部の周囲とフランジ部の下面に、又は、該フランジ部の上面の挿通部の周囲とフランジ部の上面とフランジ部の下面に、突出部がフランジ部の周方向に沿って形成されていることを特徴とするものである。
【発明の効果】
【００１２】
本発明は、筒状のスペーサーを屋根材の山部の頂部に形成された開口部に挿入し、そのスペーサーの挿通部に固定具を挿入すると共に、固定具を支持材にねじ込むことで屋根材を支持材に固定する屋根取付け構造であるので、従来のような波形フレーム等の連結部材を支持材の上に固定する必要がなく、屋根材を直に支持材に固定することができるため、屋根材の固定位置が支持材の長手方向に多少ずれていたとしても、屋根材を支持材に固定することができて、施工性が非常に良好である。また、筒状のスペーサーのフランジ部の上面の挿通部の周囲に、又は、該フランジ部の上面の挿通部の周囲とフランジ部の上面に、又は、該フランジ部の上面の挿通部の周囲とフランジ部の下面に、又は、該フランジ部の上面の挿通部の周囲とフランジ部の上面とフランジ部の下面には、突出部がフランジ部の周方向に沿って形成されているので、固定具をスペーサーの挿通部に挿入し、支持材にねじ込んでいくと、フランジが単に平坦面である場合と比較すると、フランジ部（特に突出部）がより強固に屋根材の山部に押し付けられるので、止水性が向上し、漏水する心配がなくなる。それに加えて、この突出部は、少なくとも筒状のスペーサーのフランジ部上面の挿通部の周囲に形成されているため、固定具をねじ込んでいくと、ねじ込む際に発生する応力は、その突出部を介してスペーサーの円筒部に伝わって、強固に屋根材を固定することができるようになると共に、固定時に発生する応力はスペーサーの円筒部が受けるため、屋根材に過度の負荷がかかって屋根材が破損してしまう心配がなくなる。
【００１３】
従って、上記スペーサーのフランジ部下面の外端部に突出部が形成された屋根取付け構造のように、一番最初に雨水等が侵入する恐れのあるフランジ部下面の外端部に突出部を形成することで、固定具をねじ込んでいくと、その突出部が屋根材の山部に押し付けられていくので、屋根材の山部とフランジ部下面との間の止水性が向上し、雨水の侵入を確実に防止することができる。
【００１４】
また、上記スペーサーのフランジ部上面の外端部に突出部が形成された屋根取付け構造は、スペーサーと固定具との密着面で一番最初に雨水等が侵入する箇所であるフランジ部上面の外端部付近の止水性が特に向上するため、フランジ部上面と固定具との間から、雨水がスペーサーの内部に侵入するのを確実に防止することができる。このフランジ部上面の外端部の突出部と、前述したフランジ部上面の挿通部の周囲の突出部を同時に形成することで、二重の止水構造となって雨水の侵入をより確実に防止することができる。しかも、２つの突出部の間には溝が形成されることになるので、万が一、フランジ部上面と固定具との間に雨水が侵入しても、その溝によって侵入した微量の雨水を逃がすことができるようにもなる。それに加えて、フランジ部上面の外端部に突出部を形成すると、その真下付近のフランジ部下面も屋根材の山部に押し付けられることになるので、屋根材の山部とフランジ部下面との間の雨水の侵入も防止することができ、特に上記請求項２にこの請求項３の発明を加えることで、雨水の侵入をより確実に防止することができるようになる。
【００１６】
上記のような止水性を向上させる突出部には、種々の形態が考えられるが、特に、上記スペーサーのフランジ部の周方向に沿って形成された突出部が環状突起である屋根取付け構造は、突出部の形成が容易であるにも拘わらず、止水性が良好であるため好ましい形態である。
【００１７】
次に、本発明の屋根取付け構造に用いられるスペーサーは、円筒部と、該円筒部の上端に形成されたフランジ部と、該円筒部とフランジ部の中心に設けられた、固定具が挿入される挿通部を有し、そのフランジ部の上面の挿通部の周囲に、又は、該フランジ部の上面の挿通部の周囲とフランジ部の上面に、又は、該フランジ部の上面の挿通部の周囲とフランジ部の下面に、又は、該フランジ部の上面の挿通部の周囲とフランジ部の上面とフランジ部の下面に、突出部がフランジ部の周方向に沿って形成されていることを特徴とし、このようなスペーサーを、前述した屋根取付け構造に用いると、止水性が非常に良好となって漏水の恐れがなくなり、施工も簡単に行うことができるようになる。
【図面の簡単な説明】
【００１８】
【図１】本発明の一実施形態に係る屋根取付け構造を示す概略斜視図である。
【図２】同取付け構造の要部断面図である。
【図３】同取付け構造に用いられるスペーサーを示す斜視図である。
【図４】同スペーサーの断面図である。
【図５】同取付け構造の部分拡大断面図であって、（ａ）はスペーサーが弾性変形する前の状態、（ｂ）はスペーサーが弾性変形した後の状態を示す。
【図６】本発明の他の実施形態に係る屋根取付け構造に用いられるスペーサーを示し、（ａ）は断面図、（ｂ）は底面図である。
【図７】同スペーサーの斜視図である。
【図８】従来の屋根取付け構造を示す概略斜視図である。
【発明を実施するための最良の形態】
【００１９】
以下、図面を参照して本発明の具体的な実施形態を詳述する。
【００２０】
本発明は、図１、図２に示すように、山部１ａを有する屋根材１を、母屋材や梁等の支持材４（本実施形態では母屋材）に固定する屋根取付け構造であって、筒状のスペーサー２を屋根材１の開口部１０ａに挿入すると共に、スペーサー２の挿通部２ｃより円筒部２ｂの内部に固定具３を挿入し、固定具３を支持材４にねじ込むことで、屋根材１を支持材４に固定したものである。
【００２１】
本実施形態の屋根取付け構造に用いられる屋根材１は、図１に示すように、複数の山部１ａと複数の谷部１ｂとで構成された合成樹脂製の折板屋根で、その長さは屋根の前後方向の長さに略等しく、その幅は屋根幅を複数に分割した幅寸法に略等しい長方形状に形成されている。そして、この屋根材１の山部１ａの頂部には、後述するスペーサー２を挿入するための円形状の開口部１０ａが形成されている。この屋根材１は、山部１ａと谷部１ｂの幅の比率が異なり（山部１ａよりも谷部１ｂの幅が広く、ここでは山部１ａと谷部１ｂの幅の比率が１：６程度。）、図示はしないが、その両端部はいずれも山部１ａ，１ａとなっている。このような屋根材１，１同士を左右に連結するには、一方の屋根材１の山部１ａとそれに隣接する屋根材１の山部１ａを一山だけ重ね合わせることで行われる。
【００２２】
上記屋根材１は、施工現場の屋根の大きさによって様々な寸法のものが用いられるので、特に限定されるものではないが、幅が５００〜１０００ｍｍ程度、長さが２５０〜３０００ｍｍ程度、山部１ａの頂部と頂部の間隔が２００〜３５０ｍｍ、厚みが１．５〜５ｍｍ、山部１ａの高さが１０〜３０ｍｍ、山部１ａの幅が１０〜６０ｍｍ程度のものが好適に用いられる。また、自然光を効果的に取り入れるため、透光性を有する合成樹脂製の折板屋根も好適に用いられる。
【００２３】
上記屋根材１の開口部１０ａに挿入されるスペーサー２は、図３、図４に示すように、円筒部２ｂの上端にフランジ部２ａを有する断面形状が略Ｔ字型の筒状体で、その中心には、後述する固定具３が挿入される挿通部２ｃが設けられている。このスペーサー２のフランジ部２ａ下面の外端部には、水平レベルよりも下方に突出した突出部２０ａが形成されており、また、フランジ部２ａ上面の外端部、及び、挿通部２ｃの周囲には、水平レベルよりも上方に突出した突出部２１ａ，２２ａがそれぞれ形成されている。
【００２４】
上記フランジ部２ａ下面の突出部２０ａは、図３、図４に示すように、フランジ部２ａの周方向に沿って形成された、断面形状が鋭角三角形をした環状突起２０ａ（以下、第１の環状突起２０ａという。）であって、この第１の環状突起２０ａをフランジ部２ａ下面の外端部に形成することで、固定具３をねじ込んでいくと、その際に発生する応力が第１の環状突起２０ａに集中し、その部分において第１の環状突起２０ａが屋根材１の山部１ａを強固に押し付けて、フランジ部２ａ下面と屋根材１の山部１ａとの密着性が特に向上するので、フランジ部２ａ下面と屋根材１の山部１ａとの間に雨水等が侵入し、屋根材１の開口部１０ａから漏水する心配がなくなる。
尚、このフランジ部２ａの下面の外端部に形成された突出部２０ａは、本実施形態のような環状突起２０ａの他にも、図示はしないが、フランジ部２ａを外側に向って下方に傾斜させることでも形成することができる。
【００２５】
また、上記フランジ部２ａ上面の突出部２１ａも、図３、図４に示すように、フランジ部２ａの周方向に沿って形成された、断面形状が三角形をした環状突起２１ａ（以下、第２の環状突起２１ａという。）であって、この第２の環状突起２１ａをフランジ部２ａ上面の外端部に形成することで、固定具３をねじ込んでいくと、フランジ部２ａ上面と固定具３との密着性が向上し、スペーサー２と固定具３との密着面で最初に雨水等が侵入する恐れのあるフランジ部２ａ上面の外端部の止水性が特に向上するため、フランジ部２ａ上面と固定具３との間から、雨水がスペーサー２の挿通部２ｃに侵入するのを確実に防止することができる。それに加えて、この第２の環状突起２１ａをフランジ部２ａ上面の外端部に形成すると、固定具３をねじ込んでいく際に発生する応力が、この第２の環状突起２１ａの真下に位置する上記第１の環状突起２０ａにも伝わって、第１の環状突起２０ａが屋根材１の山部１ａに強固に押し付けられることになるので、屋根材１の山部１ａとフランジ部２ａ下面との間の雨水の侵入も防止することができるようになる。
【００２６】
上記のような第１の環状突起２０ａや第２の環状突起２１ａをフランジ部２ａに形成することで、屋根材１の開口部１０ａやスペーサー２の挿通部２ｃから雨水が侵入するのを防止することができるが、本発明では、更に止水性を向上させるため、フランジ部２ａ上面の挿通部２ｃの周囲に、水平レベルよりも上方に突出した突出部２２ａが形成されている。この突出部２２ａも、上記第２の環状突起２１ａと同様に、フランジ部２ａの周方向に沿って形成された、断面形状が三角形をした環状突起２２ａ（以下、第３の環状突起２２ａという。）であって、この第３の環状突起２２ａをフランジ部２ａの挿通部２ｃの周囲に形成すると、その部分において止水性が向上するのは勿論のこと、この第３の環状突起２２ａと上記第２の環状突起２１ａの間に溝が形成されて二重の止水構造となるので、万が一、フランジ部２ａ上面と固定具３との間に雨水が侵入しても、その溝によって侵入した微量の雨水を逃がすことができるようになっている。また、固定具３をねじ込む際に発生する応力は、この第３の環状突起２２ａを介してスペーサー２の円筒部２ｂに伝わるので、強固に屋根材１を固定することができるようになり、固定具３をねじ込む際に発生する応力はスペーサー２の円筒部２ｂが受け止めるため、屋根材１に過度の負荷がかかって屋根材１が破損する心配もなくなる。
【００２７】
上記の第１〜第３の環状突起２０ａ，２１ａ，２２ａは、図３に示すように、いずれも挿通部２ｃを切れ目なく取り囲む一続きの環状突起であり、また、この第１〜第３の環状突起２０ａ，２１ａ，２２ａはいずれも、図４に示すように、水平レベルから一定の同じ高さ（どの箇所でも高低差がない）に形成されている。従って、固定具３をねじ込んでいっても、屋根材１の山部１ａや固定具３と、第１〜第３の環状突起２０ａ，２１ａ，２２ａとが密着しない箇所が生じることがないのは勿論のこと、押し付けられる力が弱い箇所や強い箇所も生じることがなく、全周に亘って均等に力が加わるので、屋根材１の山部１ａや固定具３と第１〜第３の環状突起２０ａ，２１ａ，２２ａはどの箇所でも強固に密着し、漏水の恐れは皆無に等しくなる。
【００２８】
上記構成のスペーサー２は、アルミ等の金属で形成することもできるが、屋根材１や固定具３とスペーサー２との密着性をより向上させるために、本実施形態では、弾性力を有するＥＰＤＭ（エチレン・プロピレン・ジエンゴム）によって形成されている。従って、図５の（ａ）に示すように、スペーサー２が弾性変形する前の状態、即ち、第１の環状突起２０ａと屋根材１の山部１ａ、及び第２、第３の環状突起２１ａ，２２ａが固定具３と単に接触している状態から、更に固定具３をねじ込んでいくと、図５の（ｂ）に示すように、スペーサー２（特にフランジ部２ａ周辺）が弾性変形して、第１、第２、第３の環状突起２０ａ，２１ａ，２２ａがより強固に屋根材１の山部１ａ、及び、固定具３に押し付けられて密着性が向上する。これを更に詳述すると、固定具３をねじ込むと、その際に発生する応力は、第２の環状突起２１ａを介して第１の環状突起２０ａに伝わって、第１の環状突起２０ａが外側に向って弾性変形し、屋根材１の山部１ａとの密着面が、単なる線接触から面接触へと変わって、屋根材１の山部１ａと第１の環状突起２０ａとの密着面の面積が増大する。また、第２、第３の環状突起２１ａ，２２ａも、その三角形状が上方より押し潰されて、固定具３との密着面の面積が増大して止水性が向上する。
【００２９】
それに加えて、本実施形態のスペーサー２は、円筒部２ｂとフランジ部２ａの交点近傍に、円筒部２ｂよりも筒径が太い大径部２０ｂが形成されており、固定具３をねじ込む際に発生する応力が第３の環状突起２２ａを介してこの大径部２０ｂに伝わると、大径部２０ｂは円筒部２ｂとの境目近傍から外側に向って弾性変形をし、スペーサー２と屋根材１の開口部１０ａとの隙間が埋められるので、止水性が向上し、万が一、雨水が屋根材１の山部１ａとフランジ部２ａ下面との間に侵入したとしても、スペーサー２の挿通部２ｃの内部に雨水等が侵入する恐れがなくなる。
【００３０】
このように、上記構成のスペーサー２を用いた本発明の屋根取付け構造は、止水性が非常に良好で、漏水の恐れは皆無に等しいが、万が一、挿通部２ｃに雨水が侵入したことを想定すると、図６、図７に示すような構成のスペーサー２０であれば、それに対処することができる。
【００３１】
即ち、このスペーサー２０は、図６、図７に示すように、円筒部２ｂの下端に、４箇所の切欠部２１ｂが等間隔に形成されたものであり、このような切欠部２１ｂを円筒部２ｂに形成することで、万が一、挿通部２ｃに雨水が侵入したとしても、速やかに切欠部２１ｂから排出されて、侵入した雨水を蒸発させることができるようになるので、固定具３や支持材４が腐食されるのを未然に防止することができる。
【００３２】
尚、上記のように、屋根取付け構造に用いられるスペーサー２０は止水性が非常に良好であるため、万が一、雨水が侵入したとしても、その量は非常に微量であり、侵入した雨水が切欠部２１ｂより大量に排出されて、雨漏りしてしまう心配はない。
【００３３】
また、図示はしないが、スペーサー２０の円筒部２ｂの途中に開口を設けることでも、侵入した雨水は速やかに蒸発するため、上記の切欠部２１ｂと同様の効果が得られる。このように、切欠部２１ｂや開口の形状、数量は適宜変更可能である。
このスペーサー２０のその他の構成は、前述した図１から図５に示す実施形態のスペーサー２と同様であるので、同一部位に同一符号を附して説明を省略する。
【００３４】
次に、屋根材１を支持材４に固定すると共に、上記のスペーサー２を上方から押圧する固定具３は、図１、図２に示すように、ドリルねじ３ａと座金３ｂからなるものである。屋根材１を支持材４に固定するだけであれば、ドリルねじ３ａだけでも事足りるが、ねじ込む際に発生する応力がスペーサー２のフランジ部２ａへ均等に加わるように、中心に開口が形成された座金３ｂが、ドリルねじ３ａとスペーサー２の間に介在されるようになっている。
【００３５】
上記構成の屋根材１、スペーサー２、固定具３、支持材４を用いて本発明の屋根取付け構造を構築するには、図１、図２に示すように、まず、屋根材１を支持材４の上に載置して、屋根材１の山部１ａの頂部に形成された開口部１０ａにスペーサー２を挿入する。そして、スペーサー２の挿通部２ｃに、座金３ｂが差し込まれたドリルねじ３ａを挿入し、スペーサー２（特にフランジ部２ａ近傍）が弾性変形をして、フランジ部２ａ下面（第１の環状突起２０ａ）と屋根材１の山部１ａ、及び、フランジ部２ａ上面（第２、第３の環状突起２１ａ，２２ａ）と座金３ｂの下面が十分に密着するまでドリルねじ３ａを工具でねじ込んでいくと、屋根材１が支持材４に強固に固定されて施工が完了する。
【００３６】
以上のような本発明の屋根取付け構造は、従来のような波形フレーム１０１を支持材４の上に固定する必要がないので、屋根材１の固定位置が支持材４の長手方向に多少ずれていたとしても、屋根材１を支持材４に固定することができて、施工性が非常に良い。そして、スペーサー２の上面及び下面には、第１〜第３の環状突起２０ａ，２１ａ，２２ａがそれぞれ形成されているので、固定具３をねじ込む際に発生する応力はそれら環状突起２０ａ，２１ａ，２２ａに集中し、その部分において密着性が特に向上するので止水性が向上し、屋根材１の開口部１０ａやスペーサー２の挿通部２ｃより漏水する恐れがなくなる。
【符号の説明】
【００３７】
１    屋根材
１ａ  山部
１ｂ  谷部
１０ａ  開口部
２，２０  スペーサー
２ａ  フランジ部
２０ａ  突出部（第１の環状突起）
２１ａ  突出部（第２の環状突起）
２２ａ  突出部（第３の環状突起）
２ｂ  円筒部
２０ｂ  大径部
２１ｂ  切欠部
２ｃ  挿通部
３    固定具
３ａ  ドリルねじ
３ｂ  座金
４    支持材
１００  波板
１０１  波形フレーム
【図１】
0005670140.tif 000002
【図２】
0005670140.tif 000003
【図３】
0005670140.tif 000004
【図４】
0005670140.tif 000005
【図５】
0005670140.tif 000006
【図６】
0005670140.tif 000007
【図７】
0005670140.tif 000008
【図８】
0005670140.tif 000009